(57)【要約】【課題】使用者に質のよい仮眠または睡眠をさせることができる送風装置を提供する。【解決手段】送風装置１は、室内の空気を吸い込む吸込口１４と、吸込口１４から吸い込んだ空気を使用者が位置する対象空間に吹き出す吹出口１８と、吹出口１８から吹き出した空気が、対象空間を通って吸込口１４から吸い込まれるように気流の流れを制御するコントローラー７と、を備える。コントローラー７は、使用者の入眠段階において吸込口１４から吸い込んだ空気を吹出口１８から吹き出す際、第１ゆらぎを有する気流を送風し、その後の使用者の起床段階において吸込口１４から吸い込んだ空気を吹出口１８から吹き出す際、第１ゆらぎを有する気流とは異なる第２ゆらぎを有する気流を送風するように制御する。【選択図】図２
2020056563.tif 000002
【特許請求の範囲】
【請求項１】
室内の空気を吸い込む吸込口と、
前記吸込口から吸い込んだ空気を使用者が位置する対象空間に吹き出す吹出口と、
前記吹出口から吹き出した空気が、前記対象空間を通って前記吸込口から吸い込まれるように気流の流れを制御する制御手段と、
を備え、
前記制御手段は、前記使用者の入眠段階において前記吸込口から吸い込んだ空気を前記吹出口から吹き出す際、第１ゆらぎを有する気流を送風し、その後の前記使用者の起床段階において前記吸込口から吸い込んだ空気を前記吹出口から吹き出す際、前記第１ゆらぎを有する気流とは異なる第２ゆらぎを有する気流を送風するように制御することを特徴とした送風装置。
【請求項２】
前記第１ゆらぎを有する気流は、気流の送風量の強弱を規則的に繰り返すゆらぎ気流であり、
前記第２ゆらぎを有する気流は、気流の送風量の強弱を不規則に繰り返すゆらぎ気流であることを特徴とした請求項１に記載の送風装置。
【請求項３】
前記第２ゆらぎを有する気流は、気流の送風量の平均強度が時間とともに増加する気流であることを特徴とした請求項２に記載の送風装置。
【請求項４】
前記制御手段は、前記入眠段階と前記起床段階との間の睡眠段階において、前記吹出口からの送風を停止するように制御することを特徴とした請求項１〜３のいずれか一項に記載の送風装置。
【請求項５】
前記吹出口から吹き出す空気に機能性成分を間欠的に導入する機能性成分導入手段をさらに備え、
前記制御手段は、前記機能性成分導入手段による前記機能性成分の導入を制御し、前記第１ゆらぎを有する気流への前記機能性成分の導入の際には、前記機能性成分導入手段に対して一定の導入量で前記機能性成分を導入させ、前記第２ゆらぎを有する気流への前記機能性成分の導入の際には、前記機能性成分導入手段に対して時間とともに増加する導入量で前記機能性成分を導入させることを特徴とした請求項１〜４のいずれか一項に記載の送風装置。
【請求項６】
前記機能性成分導入手段は、前記吹出口から吹き出す空気に導入する前記機能性成分を、第１機能性成分と前記第１機能性成分とは異なる第２機能性成分とを切り替える機能性成分切替手段をさらに備え、
前記制御手段は、前記機能性成分切替手段による前記機能性成分の切り替えを制御し、前記第１ゆらぎを有する気流への前記機能性成分の導入の際には、前記第１機能性成分を導入させ、前記第２ゆらぎを有する気流への前記機能性成分の導入の際には、前記第２機能性成分を導入させることを特徴とする請求項５に記載の送風装置。
【請求項７】
前記機能性成分導入手段は、前記吹出口から吹き出す空気に導入する前記機能性成分を、第１機能性成分と前記第１機能性成分とは異なる第２機能性成分とを切り替える機能性成分切替手段をさらに備え、
前記制御手段は、前記機能性成分切替手段による前記機能性成分の切り替えを制御し、前記第１ゆらぎを有する気流への前記機能性成分の導入の際、あるいは、前記第２ゆらぎを有する気流への前記機能性成分の導入の際に、前記第１機能性成分の導入から前記第２機能性成分の導入へと切り替えさせることを特徴とする請求項５に記載の送風装置。
【発明の詳細な説明】
【技術分野】
【０００１】
本発明は、居室内に設置され、室内の空気の循環に使用される扇風機などの送風装置に関するものである。
【背景技術】
【０００２】
ここ数年、働き方改革の流れに沿って職場環境がより働きやすいものになるよう見直しをしようというトレンドがあり、その一環として仮眠室にも注目が集まっている。仮眠室とは、業務従事者が日中に短時間の仮眠を取るための空間であり、仮眠を取ることにより眠気を低減し、業務効率を向上することができると言われている。
【０００３】
仮眠室としては、単に寝るための空間が用意されているだけのものもあるが、照明及び音を適切に制御することにより、より効率的に仮眠がとれるようにしたものもある。近年では、そのようなシステム化された仮眠室において、照明及び音による視覚あるいは聴覚への刺激だけでなく、気流で触覚を刺激することによって入眠と起床に対してさらに効果を出すことも検討されている。さらに、気流は必ずしも一定の出力ではなく、時系列で変化するゆらぎ出力とすることも検討されている。
【０００４】
気流のゆらぎ出力では、例えば、人間に快適な気分を与えるとされる１／ｆゆらぎ制御電圧を数値処理によって作成し、送風機からの気流の送風量が１／ｆゆらぎを生じるように送風機を制御するものが知られている（例えば、特許文献１参照）。
【先行技術文献】
【特許文献】
【０００５】
【特許文献１】特開平３−５５６０７号公報
【発明の概要】
【発明が解決しようとする課題】
【０００６】
このような従来の送風機を仮眠システム用に使用した場合、１／ｆゆらぎという不規則なゆらぎ気流を２０分程度の仮眠の間ずっと浴び続けることになる。その場合、起床時は不規則なゆらぎ気流が予測しにくいパターンであるので、定常風や規則的なゆらぎ気流よりも使用者に刺激感を与え、起床を促進することができる。一方、入眠時にはゆらぎ気流が不規則であることで使用者にとって予測しにくい気流パターンとなり、使用者に余計な刺激感を与えてしまい、効率的に寝させることができないという課題があった。
【０００７】
そこで本発明は、上記の従来の課題を解決するものであり、使用者に質のよい仮眠または睡眠をさせることができる送風装置を提供することを目的とする。
【課題を解決するための手段】
【０００８】
そして、この目的を達成するために、本発明に係る送風装置は、室内の空気を吸い込む吸込口と、吸込口から吸い込んだ空気を使用者が位置する対象空間に吹き出す吹出口と、吹出口から吹き出した空気が、対象空間を通って吸込口から吸い込まれるように気流の流れを制御する制御手段と、を備える。制御手段は、使用者の入眠段階において吸込口から吸い込んだ空気を吹出口から吹き出す際、第１ゆらぎを有する気流を送風し、その後の使用者の起床段階において吸込口から吸い込んだ空気を吹出口から吹き出す際、第１ゆらぎを有する気流とは異なる第２ゆらぎを有する気流を送風するように制御することを特徴としたものであり、これにより所期の目的を達成するものである。
【発明の効果】
【０００９】
本発明によれば、使用者に質のよい仮眠または睡眠をさせることができる送風装置を提供できる。
【図面の簡単な説明】
【００１０】
【図１】図１は、本発明の実施の形態１に係る送風装置を備える仮眠システムの概略斜視図である。
【図２】図２は、同送風装置の模式図である。
【図３】図３は、同送風装置の風速の時間変化を示す図である。
【図４】図４（ａ）は、同送風装置の不規則なゆらぎ気流の風速平均値が時間とともに大きくなる状態を示す図であり、図４（ｂ）は、同送風装置の不規則なゆらぎ気流のピーク風速が時間とともに大きくなる状態を示す図である。
【図５】図５は、本発明の実施の形態２に係る睡眠システムの概略斜視図である。
【図６】図６は、本発明の実施の形態３に係る仮眠システムを構成する送風装置の模式図である。
【図７】図７は、同送風装置に設けられた香り発生器の構成を示す模式図である。
【図８】図８は、香り発生器からの香り導入量の時間変化を示す図である。
【図９】図９は、香り発生器から導入される香り種類の組み合わせを示す図である。
【発明を実施するための形態】
【００１１】
本発明に係る送風装置は、室内の空気を吸い込む吸込口と、吸込口から吸い込んだ空気を使用者が位置する対象空間に吹き出す吹出口と、吹出口から吹き出した空気が、対象空間を通って吸込口から吸い込まれるように気流の流れを制御する制御手段と、を備える。制御手段は、使用者の入眠段階において吸込口から吸い込んだ空気を吹出口から吹き出す際、第１ゆらぎを有する気流を送風し、その後の使用者の起床段階において吸込口から吸い込んだ空気を吹出口から吹き出す際、第１ゆらぎを有する気流とは異なる第２ゆらぎを有する気流を送風するように制御することを特徴とするものである。
【００１２】
こうした構成によれば、使用者に対して、入眠段階と起床段階のそれぞれに適したゆらぎを有する気流を送風することができるので、使用者に対して質のよい仮眠または睡眠をさせることができる。
【００１３】
また、第１ゆらぎを有する気流は、気流の送風量の強弱を規則的に繰り返すゆらぎ気流であり、第２ゆらぎを有する気流は、気流の送風量の強弱を不規則に繰り返すゆらぎ気流であることを特徴とする。これにより、入眠段階において使用者をリラックスさせることができるとともに、起床段階において使用者に適度な刺激を与えることができる。
【００１４】
また、第２ゆらぎを有する気流は、気流の送風量の平均強度が時間とともに増加する気流であることを特徴とする。これにより、起床時において使用者に与える気流の刺激を、はじめ弱い状態から徐々に強くしていくことができ、刺激による不快感を抑制することができる。
【００１５】
また、制御手段は、入眠段階と起床段階との間の睡眠段階において、吹出口からの送風を停止するように制御することを特徴とする。これにより、使用者の睡眠中に余計な刺激を与えて睡眠を阻害することがないようにできる。
【００１６】
また、本発明に係る送風装置では、吹出口から吹き出す空気に機能性成分を間欠的に導入する機能性成分導入手段をさらに備える。そして、制御手段は、機能性成分導入手段による機能性成分の導入を制御し、第１ゆらぎを有する気流への機能性成分の導入の際には、機能性成分導入手段に対して一定の導入量で機能性成分を導入させ、第２ゆらぎを有する気流への機能性成分の導入の際には、機能性成分導入手段に対して時間とともに増加する導入量で機能性成分を導入させることを特徴とする。これにより、使用者に対して、入眠段階と起床段階のそれぞれに適した導入量で、機能性成分を添加することができるので、使用者に対して質のよい仮眠または睡眠をさせることができる。
【００１７】
また、機能性成分導入手段は、吹出口から吹き出す空気に導入する機能性成分を、第１機能性成分と第１機能性成分とは異なる第２機能性成分とを切り替える機能性成分切替手段をさらに備える。そして、制御手段は、機能性成分切替手段による機能性成分の切り替えを制御し、第１ゆらぎを有する気流への機能性成分の導入の際には、第１機能性成分を導入させ、第２ゆらぎを有する気流への機能性成分の導入の際には、第２機能性成分を導入させることを特徴とする。これにより、入眠段階と起床段階のそれぞれに適した機能性成分（第１機能性成分、第２機能性成分）を添加することができるので、入眠段階での入眠までの時間を短くすることができるとともに、起床段階での起床ストレスを軽減することができる。
【００１８】
また、制御手段は、第１ゆらぎを有する気流への機能性成分の導入の際、あるいは、第２ゆらぎを有する気流への機能性成分の導入の際に、第１機能性成分の導入から第２機能性成分の導入へと切り替えさせるようにしてもよい。このようにすることで、入眠段階においては、使用者を睡眠状態に誘導しやすくすることができ、起床段階においては、使用者が覚醒状態となるのを促進しやすくすることができる。
【００１９】
以下、本発明を実施するための形態について、添付図面を参照して説明する。なお、以下の実施の形態は、本発明を具体化した一例であって、本発明の技術的範囲を限定するものではない。また、重複を避けるため、全図面を通して、同一の部位については同一の符号を付して二度目以降の説明を省略している。
【００２０】
（実施の形態１）
はじめに、図１と図２を参照して、本実施の形態１に係る送風装置１を備える仮眠システム１００の概略構成について説明する。図１は、本発明の実施の形態１に係る送風装置１を備える仮眠システム１００の概略斜視図である。図２は、同送風装置１の模式図である。なお、図１では、手前側の壁を図示していないが、送風装置１は、小部屋である仮眠室Ｒに設置されている。
【００２１】
図１に示すように、仮眠システム１００が設置される仮眠室Ｒには、送風装置１、入眠用照明装置２、起床用照明装置３、音響装置４、仮眠シート５、タブレット６、及びコントローラー７（図２参照）が設置されている。以下、送風装置１以外の各構成要素について先に説明する。
【００２２】
入眠用照明装置２は、仮眠室Ｒの床面に設置され、仮眠シート５の左右前方に各１台設置されている。入眠用照明装置２は、小型の球体状の照明装置であり、コントローラー７（図示せず）と有線で接続されている。入眠用照明装置２は、タブレット６の画面での使用者の指示を受け付けて動作する。入眠用照明装置２は、入眠時に低照度かつ低色温度の明かりを提供して使用者のリラックスを促すものである。より眠りに引き込みやすいように低照度かつ低色温度の明かりがある状態とない状態を規則的にゆらがせる制御にしてもよい。
【００２３】
起床用照明装置３は、仮眠室Ｒの前方の壁面に埋設されている。起床用照明装置３は、１辺が約６０ｃｍの正方形の照明装置であり、コントローラー７（図示せず）と有線で接続されている。具体的には、起床用照明装置３は、ＬＥＤ電灯を複数積載して接続し、仮眠室Ｒ側の面を乳白色のプラスチックで覆った構成とした照明装置である。起床用照明装置３は、タブレット６の画面での使用者の指示を受け付けて動作する。起床用照明装置３は、起床時に低照度かつ低色温度から徐々に高照度かつ高色温度へと変化する明かりを提供して使用者の覚醒を促す。このとき変化があまりに急激であると、使用者への刺激が大きく、不快感が生じるため、変化は１〜２分程度かけて行うものとする。
【００２４】
音響装置４は、仮眠室Ｒの天井面の所定の位置（仮眠シート５の左右前方および左右後方）に複数設けられている。音響装置４は、入眠時には落ち着きのある音楽を提供し、起床時には軽快な音楽を提供するように制御される。音響装置４は、コントローラー７（図示せず）と有線で接続され、タブレット６の画面での使用者の指示を受け付けて動作する。
【００２５】
仮眠シート５は、仮眠システム１００を使用する使用者が着座して仮眠するための椅子である。仮眠シート５は、仮眠室Ｒの床面の所定の位置に設置されている。具体的には、仮眠シート５は、図１に示すように、使用者が着座可能な座部５ａと、座部５ａの後部に設けられて傾倒可能な背もたれ部５ｂとを有する。
【００２６】
タブレット６は、仮眠室Ｒの床面から所定の高さの位置であって、仮眠シート５に着座する使用者から容易に届く位置に設置されている。タブレット６は、コントローラー７（図示せず）と有線で接続されている。上記した通り、使用者はタブレット６の画面を操作することにより、仮眠室Ｒに設置された各装置（送風装置１、入眠用照明装置２、起床用照明装置３、音響装置４）に対して一括して運転の指示を出すことができる。
【００２７】
コントローラー７は、タブレット６からの指示に基づき、各装置（送風装置１、入眠用照明装置２、起床用照明装置３、音響装置４）の仮眠制御を実行させる。コントローラー７は、各装置の制御プログラムを記憶しており、内蔵タイマーを用いて開始からの時間を測り、各装置にそれぞれ適切なタイミングで運転の指示を行う。なお、コントローラー７は、請求項の「制御手段」に相当する。
【００２８】
次に、図２を参照して、送風装置１の構成について説明する。
【００２９】
送風装置１は、仮眠システム１００を使用する使用者が着座する対象空間に送風する装置である。送風装置１は、仮眠室Ｒの天井面に設置されている。具体的には、送風装置１は、図２に示すように、室内の空気を吸い込む吸込口１４と、吸込口１４から吸い込んだ空気を室内に吹き出す吹出口１８とを有する。より詳細には、送風装置１は、吸込口１４が設けられたケーシング１３と、吹出口１８が設けられた吹出部材１６と、ケーシング１３と吹出部材１６とを連通するダクト１５とを有して構成される。
【００３０】
ケーシング１３は、気流を送り出す送風機としてのファン１０と、ファン１０を駆動するためのモーター１１と、モーター１１の運転を制御する制御部としてのマイクロコンピュータ１２とを有して構成される。ケーシング１３は、吸込口１４から吸い込まれた空気の風路として機能し、吸込口１４から吸い込まれた空気をダクト１５に送り出す。マイクロコンピュータ１２は、コントローラー７と有線で接続され、タブレット６の画面での使用者の指示を受け付けてモーター１１の運転を制御する。なお、マイクロコンピュータ１２とコントローラー７とは、無線で接続するようにしてもよい。
【００３１】
ダクト１５は、ケーシング１３と吹出部材１６との間に延設され、吸込口１４と吹出口１８との間を所定の間隔離すために形成されている。ダクト１５は、ケーシング１３と吹出部材１６との間の風路を構成し、ケーシング１３から送り出された空気をそのまま吹出部材１６に送り出す。
【００３２】
吹出部材１６は、内部にチャンバー空間１７を有して構成されている。ダクト１５から送り出された空気は、このチャンバー空間１７を通って吹出口１８から仮眠室Ｒ内に吹き出される。
【００３３】
以上のように、送風装置１は、マイクロコンピュータ１２の指示を受けてモーター１１が回転すると、吸込口１４から仮眠室Ｒ内の空気を吸い込み、吹出口１８から再び仮眠室Ｒの使用者の着座空間に吹き出すように構成されている。
【００３４】
次に、送風装置１の仮眠室Ｒ内での設置場所について説明する。
【００３５】
図１に示すように、仮眠室Ｒ内の所定の位置（例えば、中央部分）に仮眠シート５が設置されている。また、送風装置１は、上記した通り、仮眠室Ｒの天井面に設置されているが、送風装置１の吹出口１８と吸込口１４とは、仮眠シート５に対して所定の位置に配置されている。
【００３６】
送風装置１の吹出口１８は、仮眠シート５の前方に位置する仮眠室Ｒの天井面に設置されている。そして、吹出口１８は、吹出口１８から送風する気流が仮眠シート５の座部５ａ又は背もたれ部５ｂに向かって吹き降ろすように構成している。一方、送風装置１の吸込口１４は、仮眠シート５の後方に位置する仮眠室Ｒの天井面に設置されている。吸込口１４は、吹出口１８から送風した気流が背もたれ部５ｂの傾斜に沿って上方に向かって流れた後、吸込口１４に向かって吸い上げられるように構成している。
【００３７】
このとき、吹出口１８と吸込口１４の間口形状は矩形状になっており、吹出口１８の幅中心と吸込口１４の幅中心と仮眠シート５の幅中心とが同一直線上に配置するようにしている。また、吸込口１４は、背もたれ部５ｂの傾斜角度に沿った角度の延長線と天井面の交点に配置している。さらに、吹出口１８の開口幅は、仮眠シート５の横幅よりも狭くなっていることが望ましく、本実施の形態１に係る送風装置１では、仮眠シート５の横幅を９００ｍｍ、吹出口１８の開口幅を６００ｍｍとしている。また、吹出口１８の開口幅を６００ｍｍとすれば、使用者１人に十分な気流を体感させることができる。
【００３８】
これにより、吹出口１８から生じる気流の送風幅は、仮眠シート５の座部５ａおよび背もたれ部５ｂの幅よりも狭いため、座部５ａおよび背もたれ部５ｂの横に気流が漏れることがなく、背もたれ部５ｂに沿った流れ方向の気流を形成して吸込口１４の方向に空気を流すことができる。
【００３９】
なお、本実施の形態１の送風装置１では、天井面に設置する実施の形態であるが、使用者の前方に設置する形態でも構わない。いずれの場合でも使用者の体の一部にしか当たらないと不快感につながりやすいため、なるべく使用者の体の広範囲に当たる形であることが望ましい。
【００４０】
次に、図３を参照して、本実施の形態１に係る仮眠システム１００の仮眠制御について説明する。図３は、送風装置１の風速の時間変化を示す図である。なお、縦軸は、使用者の位置での代表的な風速である。横軸は、仮眠制御の開始からの経過時間である。
【００４１】
使用者が仮眠室Ｒに入り、仮眠シート５に座って仮眠の体勢が整ってからタブレット６を操作し、仮眠制御の開始をコントローラー７に指示する。
【００４２】
図３に示すように、仮眠システム１００における一連の仮眠制御（入眠から起床までの装置制御）は、入眠モード、睡眠モード、起床モードの３モードをこの順に実行する制御となっている。
【００４３】
入眠モードは、使用者に対して入眠を促すモードであり、３分〜１０分の範囲で時間設定されるモードである。
【００４４】
睡眠モードは、使用者が比較的浅い睡眠状態を維持して仮眠するモードであり、１５分〜２０分の範囲で時間設定される。一般的に、仮眠では比較的浅い睡眠状態である睡眠ステージ２の状態を数分維持することが疲労回復や眠気低減によいとされているが、逆に比較的深い睡眠状態である睡眠ステージ３の状態になると睡眠慣性が働き、寝起きが悪くなると言われている。睡眠ステージ３が出現しないうちに起床させるために、仮眠の睡眠時間は１５〜２０分程度がよいと言われており、睡眠モードの時間はこれを考慮して決めている。なお、睡眠ステージ２と睡眠ステージ３は、ノンレム睡眠を浅い睡眠から深い睡眠まで４段階に規定したものである。
【００４５】
起床モードは、使用者に対して浅い睡眠状態からの起床を促すモードであり、１分〜３分の範囲で時間設定される。
【００４６】
仮眠システム１００における仮眠制御では、３つのモードごとに送風装置１の制御内容を設定している。
【００４７】
入眠モードでは、送風装置１は、入眠用の気流を吹出口１８から吹き出し、仮眠シート５に着座する使用者に向けて送風する。入眠用の気流は、極力刺激感がないことが求められるため、風速が小さい周期的なゆらぎ（第１ゆらぎ）を有する気流としている。第１ゆらぎは、規則的なゆらぎともいえる。入眠用の気流の風速は、最も大きいところでも気流感がないように最大で０．４ｍ／ｓとし、ゆらぎ周期は、せわしさあるいは間延び感のない１０〜５０秒周期の範囲としている。すなわち、送風装置１は、入眠モードにおいて、送風装置１の気流の風速の強弱を第１ゆらぎで制御している。ここで、周期的なゆらぎは、周期的でない不規則なゆらぎよりも予測しやすい単調なパターンなので、使用者の意識を向けさせることがなく、気分を落ち着かせることができる。
【００４８】
また、入眠モードでは、照明装置は、入眠用照明装置２が動作し、起床用照明装置３は動作しないように制御される。入眠用照明装置２は、使用者が着座する対象空間を所定の照度で照らす。入眠用の照度は、使用者の入眠を快適に誘うために、照度が小さい周期的なゆらぎを有する照度としている。入眠用の照度のゆらぎ周期は、１０〜５０秒周期の範囲であり、送風装置１と同じゆらぎ周期としている。ここで、照度の周期的なゆらぎは、視覚な明暗を繰り返すことになり、使用者の入眠を誘いやすくすることができる。なお、入眠用照明装置２で照明する際には、照度に加え、色温度も連動して制御するようにしてもよい。
【００４９】
睡眠モードでは、送風装置１は、吹出口１８からの吹き出しを停止し、使用者に余計な刺激を与えないようにしている。気流が当たって気持ちよく感じるのは心理的な影響が大きく、暑熱状態を除いて生理的な影響は小さい。このため、仮眠中に気流を送っても心理的な効果は期待できないことから、仮眠中は気流を停止し、なるべく睡眠を阻害しないようにしている。なお、吹出口１８からの吹き出しを継続する場合であっても、人が知覚（触覚）できないほど小さい風速であればよい。
【００５０】
また、睡眠モードでは、入眠用照明装置２および起床用照明装置３の動作も送風装置１と同様に停止される。
【００５１】
起床モードでは、送風装置１は、起床用の気流を吹出口１８から吹き出し、仮眠シート５に着座する使用者に向けて送風する。起床用の気流は、適度な刺激感があることが求められるため、不規則なゆらぎ（第２ゆらぎ）を有する気流を用いて、風速が急激に大きくなる気流としている。不規則なゆらぎというのは、図３に示す通り、気流の風速の強弱が変化する周期および風速幅が一定でないゆらぎのことを意味している。起床時には、気流の刺激感があることにより、爽快感が増し、光あるいは音の刺激と相まって目覚めやすくなる。不規則なゆらぎ気流は、予測しにくいパターンなので、定常風あるいは規則的なゆらぎ気流よりも気流の変化に意識を向けやすく、使用者に適度な刺激感を与えることができる。また、屋外の自然風も不規則なゆらぎ気流であり、不規則なゆらぎ気流を使用者に送ることにより、使用者に自然の風に包まれている時のような爽快感を与えることができる。
【００５２】
また、起床モードでは、照明装置は、起床用照明装置３が動作し、入眠用照明装置２は動作しないように制御される。起床用照明装置３は、仮眠室Ｒの前面から使用者が着座する対象空間を所定の照度で照らす。起床用の照度は、適度な刺激感があることが求められるため、照度が急激に大きくなるようにし、照明開始から１分〜２分程度で最大照度となるようにしている。
【００５３】
次に、図４を参照して、起床モードにおける不規則なゆらぎ気流について説明する。図４（ａ）は、送風装置１の不規則なゆらぎ気流の風速平均値が時間とともに大きくなる状態を示す図であり、図４（ｂ）は、送風装置１の不規則なゆらぎ気流のピーク風速が時間とともに大きくなる状態を示す図である。いずれも縦軸は使用者の位置での代表的な風速であり、また横軸は起床モード開始からの経過時間である。
【００５４】
不規則なゆらぎ気流の強さを規定する方法としては２通りある。１つ目は、ある時間範囲で風速を平均した平均値を用いる方法である。風速平均値は、概ね送風量に比例するため、風速平均値が時間とともに大きくなるということは、気流の送風量が時間とともに大きくなることに相当し、気流の送風量が増える分気流による刺激も増えることになる。
【００５５】
２つ目は、ある時間範囲での最大風速であるピーク風速を用いる方法である。このピーク風速は、一瞬吹き抜けるような強い風の風速を表すので、ピーク風速が時間とともに強くなるということは、瞬間的な刺激の強さが強くなることを意味する。この場合、図４（ｂ）に示す通り、仮に気流の送風量が一定であってもピーク風速を強くすることにより全体的な刺激の印象を強くすることができる。
【００５６】
以上の２つの方法の片方または両方により、不規則なゆらぎ気流が時間とともに強くなっていくことを規定することができる。なお、図４に示した通り、気流の風速は、最も大きいところで適度な刺激感があるように０．８ｍ／ｓ以上とし、且つ、息苦しさあるいは過度な冷感がないように１．５ｍ／ｓ以下とする。また、不規則なゆらぎ気流の中でも自然界のゆらぎに近い１／ｆのスペクトル特性を持つ気流であることが望ましい。
【００５７】
本実施の形態１に係る送風装置１では、入眠モードで規則的なゆらぎ（第１ゆらぎ）を有する気流を吹出し、起床モードで不規則なゆらぎ（第２ゆらぎ）を有する気流を吹き出すことを特徴としている。これにより、使用者に対して、入眠段階と起床段階のそれぞれに適したゆらぎを有する気流を送風することができるので、使用者に対して質のよい仮眠または睡眠をさせることができる。
【００５８】
これに対して、比較例１として、入眠モードと起床モードの両方で規則的なゆらぎ気流を吹出した場合には、起床モードで風速が高いことによる刺激感はありながらゆらぎ感としては安定的というミスマッチな印象を与えることになる。また、自然の風に包まれながら起きるような爽快感を使用者に味わってもらうことができない。また、比較例２として、入眠モードと起床モードの両方で不規則なゆらぎ気流を吹出した場合には、入眠モードで使用者に余計な刺激感を与えてしまい、使用者を効率的に入眠させることができない。
【００５９】
オフィスなどの職場に設置される仮眠室は、業務従事者が勤務時間中あるいは休憩時間中に使用することを想定しており、本実施の形態１に係る送風装置１を備える仮眠システム１００の効果として業務従事者の生産性を向上させることが期待されている。生産性向上のためには限られた時間の中で質の高い仮眠を取ることが必要である。質の高い仮眠の要件とは比較的浅い睡眠状態である睡眠ステージ２の状態を数分維持すること、比較的深い睡眠状態である睡眠ステージ３にならないこと、気持ちよく起きることの３点である。
【００６０】
使用者を確実に睡眠ステージ２の状態に導くためには、使用者が寝る体勢になってから比較的早く睡眠状態になることが重要となる。そのために入眠用照明装置２の暗めの照明制御、音響装置４の落ち着きのある音楽とともに送風装置１の規則的なゆらぎ気流が使用者を効率的に寝させるために効果的である。
【００６１】
また、使用者を気持ちよく起こすためには起床用照明装置３の明るめの照明制御、音響装置４の軽快な音楽とともに送風装置１の不規則なゆらぎ気流が効果的である。このように、送風装置１は、入眠モードと起床モードで異なるゆらぎ気流を吹き出すことにより、より質の高い睡眠を使用者に与え、使用者の眠気を低減し、心身の状態をリセットするとともに、生産性を高めることに寄与するものである。
【００６２】
以上、本実施の形態１に係る送風装置１によれば、入眠段階と起床段階のそれぞれに適したゆらぎを有する気流を送風することができるので、使用者に質のよい仮眠を提供することができる。
【００６３】
（実施の形態２）
次に、図５を参照して、本発明の実施の形態２に係る睡眠システム（実施の形態１に係る送風装置１を備えた睡眠システム）について説明する。図５は、本発明の実施の形態２に係る睡眠システム２００の概略斜視図である。
【００６４】
実施の形態１では、送風装置１を備える仮眠システム１００としたが、本実施の形態２では、送風装置２０を備える睡眠システム２００としている。
【００６５】
本実施の形態２に係る睡眠システム２００では、使用者が着座する仮眠シート５に替えて、使用者が就寝するためのベッド２１を用いていること以外、実施の形態１と同様の構成を有している。なお、実施の形態１に係る仮眠システム１００を構成する送風装置１と同様の要素については同じ符号とし、説明を省略する。
【００６６】
図５に示すように、睡眠システム２００が設置される寝室Ｂには、送風装置２０、入眠用照明装置２、起床用照明装置３、音響装置４、タブレット６（図示せず）、及びコントローラー７（図示せず）が設置されている。
【００６７】
入眠用照明装置２は、ベッド２１の枕元に設置され、また起床用照明装置３は、ベッド２１の足元側の壁面に設置されている。
【００６８】
タブレット６は、各機器と有線で接続されている場合はベッド２１の枕元に設置されているが、無線で接続されている場合は寝室Ｂ内で特に位置を固定しなくても差し支えない。
【００６９】
送風装置２０は、寝室Ｂのベッド２１の頭側の天井の隅に吸込口１４があり、そこからベッド２１の足元側の天井に設置されている吹出口１８までダクト１５で繋がっている。吹出口１８と吸込口１４は、吹出口１８から吹き降ろした気流がベッド２１の足元部分に当たってベッド２１の前方に流れ、吸込口１４から吸い上げられるように配置されている。その他の基本的な構成は実施の形態１の送風装置１と同様なのでここでは説明を省略する。
【００７０】
送風装置２０の制御については基本的に実施の形態１の送風装置１と同様であるが、本睡眠用であるため、制御する設定時間の長さが異なる。送風装置１では、各モードの時間が入眠モードで３〜１０分、睡眠モードで１５〜２０分、起床モードで１〜３分の範囲であったが、送風装置２０では、入眠モードで３〜３０分、睡眠モードで１５〜７２０分、起床モードで１〜６０分の範囲とする。送風装置２０の制御は、本睡眠向けであるものの、仮眠にも使用できるように設定時間の幅は大きくしている。
【００７１】
なお、睡眠モードは、時間で設定する方法だけではなく、起床モードの開始を時刻で指定する方法も選べるようにする。そのようにすることで使用者が送風装置２０を目覚まし時計のように使用することができ、利便性がよい。起床モード開始を時刻で指定するためにコントローラー７は時計機能を持つこととする。
【００７２】
送風装置２０は、入眠時には風速が小さい規則的なゆらぎ（第１ゆらぎ）を有する気流を送ることにより、使用者をリラックスさせ、効率よく入眠させることができる。また、睡眠モードにおいては気流を停止し、使用者に余計な刺激を与えないようにする。また、起床モードにおいては不規則なゆらぎ（第２ゆらぎ）を有する気流を送ることにより、使用者に適度な刺激感と自然の風に包まれているような爽快感を与えることができる。
【００７３】
入眠用照明装置２と音響装置４の制御は、実施の形態１の場合と同様であるが、起床用照明装置３の制御は少し異なる。一般的に使用者が起きる予定の時間より前から徐々に明るくすると、体がそれに合わせて起床の準備をするため、比較的すっきりと目覚められると言われている。そのため起床用照明装置３の制御は使用者が起きる予定の時間より３０〜１２０分程度前から徐々に明るくしていき、使用者が起きる予定の時間が過ぎた後で最大照度となるようにする。
【００７４】
以上、本実施の形態２に係る送風装置２０によれば、入眠段階と起床段階のそれぞれに適したゆらぎを有する気流を送風することができるので、使用者に質のよい睡眠を提供することができる。
【００７５】
（実施の形態３）
本発明の実施の形態３に係る仮眠システム１００は、送風装置１ａを構成するダクト１５内に香り発生器１９が設けられ、吹出口１８から吹き出される空気に機能性成分（香り成分）を導入可能に構成されている点で実施の形態１と異なる。これ以外の送風装置１ａの構成は、実施の形態１に係る仮眠システム１００の送風装置１と同様である。以下、実施の形態１で説明済みの内容は再度の説明を適宜省略し、実施の形態１と異なる点を主に説明する。
【００７６】
本発明の実施の形態３に係る仮眠システム１００を構成する送風装置１ａについて、図６を参照して説明する。図６は、本発明の実施の形態３に係る仮眠システム１００を構成する送風装置１ａの模式図である。
【００７７】
図６に示すように、本実施の形態３に係る仮眠システム１００を構成する送風装置１ａでは、送風装置１ａの送風経路内であるダクト１５の側壁に、機能性成分導入手段としての香り発生器１９を３個（香り発生器１９ａ、香り発生器１９ｂ、香り発生器１９ｃ）設けている。それぞれの香り発生器１９は、機能性成分として、香りＸの香り成分と、香りＹの香り成分と、香りＺの香り成分とを発生させられるようにしている。これにより、選択されたそれぞれの香り（香りＸ、香りＹ、香りＺ）を付加した空気を吹出口１８から送風することができる。
【００７８】
次に、香り発生器１９の構成について、図７を参照して説明する。図７は、同送風装置１ａに設けられた香り発生器１９の構成を示す模式図である。
【００７９】
香り発生器１９は、香り発生器１９の外郭を形成する筐体の内部に、香り成分を含んだ液体としての香料を収納する容器２２と、容器２２内の香料を吸い上げて含浸させ、香り成分を気化させる気化部２３とを有している。
【００８０】
気化部２３は、内部に超音波振動子を有し、この超音波振動子を振動させることで、含浸する香り成分を気化させている。また、気化部２３は、マイクロコンピュータ１２からの信号を受けて動作する。
【００８１】
気化部２３の近傍には、ダクト１５内を流れる空気の一部を気化部２３に流入させる流入開口部２４と、気化した香り成分を導入してダクト１５内に戻すための流出開口部２５とを有する開口弁２６が設けられる。開口弁２６は、筐体内の空間とダクト１５内の空間とを遮蔽できる面積を有する平板とし、ダクト１５内の空気の流れ方向に対して垂直方向にスライドさせることによって流入開口部２４と流出開口部２５の開度を同時に制御できるように構成されている。開口弁２６のスライド機構については図示しないが、開口弁２６は、電動モーターなどを用い、マイクロコンピュータ１２からの信号を受けて動作する。
【００８２】
このように構成される香り発生器１９は、開口弁２６の開閉と、気化部２３の超音波振動子の振動時間とを制御することで、ダクト１５内を流れる空気への香り成分の導入量を調節できるようにしている。なお、香り成分の導入を停止する場合は、気化部２３の超音波振動子を振動させないことで香り成分を導入しないようにしている。さらに、開口弁２６を全閉することで、ダクト１５内への残り香の流出を防ぐようにしている。
【００８３】
また、香り発生器１９は、発生させる香り成分の使用量を削減するために、香り成分の導入状態と非導入状態とを繰り返すことにより、吹出口１８から吹き出す空気に香り成分を間欠的に導入するように制御されている。
【００８４】
次に、仮眠システム１００での入眠モードおよび起床モードにおける香り成分の導入量について、図８を参照して説明する。図８は、香り発生器１９からの香り導入量の時間変化を示す図である。ここで、図８の（ａ）は、入眠モードに連動する第１導入パターンと、起床モードに連動する第２導入パターンとを組み合わせた香り成分導入パターンを示し、図８の（ｂ）は、入眠モードに連動する第１導入パターンと、起床モードに連動する第３導入パターンとを組み合わせた香り成分導入パターンを示す。
【００８５】
第１導入パターンは、第１ゆらぎを有する気流への香り成分（例えば、香りＸ）の導入の際に、香り発生器１９ａに対して一定の導入量で香り成分を導入させるパターンである。具体的には、第１導入パターンでは、等間隔で間欠的に香り成分を一定の導入量で導入し、この際、第１ゆらぎを有する気流の風速が最も大きくなるタイミングに合わせて香り成分を導入させている。
【００８６】
第２導入パターンおよび第３導入パターンは、第２ゆらぎを有する気流への香り成分（例えば、香りＸ）の導入の際に、香り発生器１９ａに対して時間とともに増加する導入量で香り成分を導入させるパターンである。具体的には、第２導入パターンでは、第１導入パターンと同じ等間隔で間欠的に香り成分を導入し、この際、香り成分の導入量を時系列に増加させていくパターンである。一方、第３導入パターンでは、間欠的に香り成分を導入する際、第２ゆらぎを有する気流において発生するピーク風速のタイミングに合わせて香り成分を導入し、この際、香り成分の導入量を時系列に増加させていくパターンである。
【００８７】
仮眠システム１００での入眠モードおよび起床モードにおける香り成分導入パターンは、図８の（ａ）に示す第１導入パターンと第２導入パターンとを組み合わせた香り成分導入パターンと、図８の（ｂ）に示す第１導入パターンと第３導入パターンとを組み合わせた香り成分導入パターンの二つである。
【００８８】
一つ目の第１導入パターンと第２導入パターンとを組み合わせた香り成分導入パターンでは、等間隔で間欠的に香り成分を導入することで、ゆらぎ気流の種類に関係なく確実に香り成分を導入させることができる。一方、第２ゆらぎを有する気流の風量の増加に伴って香り成分の導入量を増加させることで、第２ゆらぎを有する気流に含まれる香り成分が薄まっていき、使用者が香り成分を感じなくなることが抑制され、起床モードにおいて使用者に香り成分を確実に感じさせることができる。
【００８９】
二つ目の第１導入パターンと第３導入パターンとを組み合わせた香り成分導入パターンでは、第２ゆらぎを有する気流に香り成分を導入する際に、第２ゆらぎを有する気流において発生するピーク風速のタイミングに合わせて香り成分を導入させることで、気流感が高まるタイミングで香り成分を感じることができるので、起床モードにおいて使用者の爽快感あるいは覚醒感を高めることができる。
【００９０】
以上のように、使用者に対して、入眠段階と起床段階のそれぞれに適した導入量で、香り成分を添加させることができるので、使用者に対して質のよい仮眠または睡眠をさせることができる。
【００９１】
次に、仮眠システム１００での入眠モードおよび起床モードにおいてゆらぎ気流に導入する香り成分について、図９を参照して説明する。図９は、香り発生器から導入される香り種類の組み合わせを示す図である。なお、図９では、香り成分の導入組み合わせとして、３例（導入組み合わせＡ、導入組み合わせＢ、導入組み合わせＣ）を示している。
【００９２】
図９に示すように、導入組み合わせＡでは、入眠モード（第１ゆらぎを有する気流）および起床モード（第２ゆらぎを有する気流）において同じ香り成分（香りＸ）を適用している。香りＸには、使用者の好みの香り成分として、例えば、オレンジが用いられる。入眠段階および起床段階では、使用者の好きな香りＸが導入されるので、使用者はリラックス状態となる。このため、入眠段階では使用者の入眠までの時間を短くすることができるとともに、起床段階では使用者の起床ストレスを軽減することができる。
【００９３】
導入組み合わせＢでは、入眠モード（第１ゆらぎを有する気流）と起床モード（第２ゆらぎを有する気流）とで異なる香り成分（香りＹ、香りＺ）を適用している。具体的には、入眠モードにおいて香りＹを適用し、起床モードにおいて香りＺを適用している。香りＹには、使用者の好みの香り成分、且つ、沈静作用を有する香り成分として、例えば、ラベンダーが用いられる。一方、香りＺには、使用者の好みの香り成分、且つ、覚醒作用を有する香り成分として、例えば、グレープフルーツが用いられる。入眠段階では、香りＹの沈静作用によって沈静状態が促進されるため、使用者の入眠までの時間を短くすることができる。一方、起床段階では、香りＺの覚醒効果によって覚醒状態が促進されるため、使用者の起床ストレスを軽減することができる。
【００９４】
導入組み合わせＣでは、導入組み合わせＢで適用した香りＹおよび香りＺのそれぞれをさらに種類の異なる香り成分の組み合わせに変更している。具体的には、入眠モード（第１ゆらぎを有する気流）において３種類の香り成分（香りＹ１、香りＹ２、香りＹ３）を組み合わせて適用するとともに、起床モード（第２ゆらぎを有する気流）において３種類の香り成分（香りＺ１、香りＺ２、香りＺ３）を組み合わせて適用している。ここで、入眠モードでは、第１ゆらぎを有する気流に対して、香りＹ１、香りＹ２、香りＹ３の順に切り替えて導入し、起床モードでは、第１ゆらぎを有する気流に対して、香りＺ１、香りＺ２、香りＺ３の順に切り替えて導入している。
【００９５】
香りＹ１には、導入の香りとして親しみのある香り成分として、例えば、オレンジが用いられる。これにより、入眠段階の初期ステップとして、香りが導入され始めたときの刺激感あるいは抵抗感を低減し、使用者に心地よさを感じさせることができる。
【００９６】
香りＹ２には、使用者に充足感を感じさせる香り成分として、例えば、ローズが用いられる。これにより、入眠段階の中間ステップとして、使用者に深呼吸を促し、使用者の身体を脱力させることができる。
【００９７】
香りＹ３には、沈静作用のある香り成分として、例えば、ラベンダーが用いられる。これにより、入眠段階の最終ステップとして、使用者の沈静状態を促進し、使用者の身体が脱力した状態で、そのまま睡眠状態に誘導することができる。
【００９８】
以上のように、入眠段階では、使用者に対して、ａ）親しみやすい嗅ぎ慣れた香りで安心させ、ｂ）心身ともに満足感を得られるような香りで脱力を促し、ｃ）沈静作用のある強い香りで入眠を促すように、時系列に３種類の香り成分を切り替えている。
【００９９】
一方、香りＺ１には、刺激感のない香り成分として、例えば、白壇が用いられる。これにより、起床段階の初期ステップとして、使用者に起床ストレスをほとんど与えずに、起床時間が始まったことを感じさせることができる。
【０１００】
香りＺ２には、自然な草木の香り成分として、例えば、ホワイトサイプレスが用いられる。これにより、起床段階の中間ステップとして、使用者に屋外にいるようなイメージを与え、身体が覚醒状態になろうとするのを自然な形で促すことができる。
【０１０１】
香りＺ３には、覚醒作用のある香り成分として、例えば、グレープフルーツが用いられる。これにより、起床段階の最終ステップとして、使用者の覚醒状態が促進されるため、使用者の起床ストレスを軽減することができる。
【０１０２】
以上のように、起床段階では、使用者に対して、ｄ）重めの香りで起床時間がきたことを静かに知らせ、ｅ）自然の草木の香りで意識を徐々に外側に向かわせ、ｆ）覚醒作用の強い香りで起床を促すように、時系列に３種類の香り成分を切り替えている。
【０１０３】
以上、本実施の形態３に係る仮眠システム１００を構成する送風装置２０によれば、使用者に対して、入眠段階と起床段階のそれぞれに適した導入量で、香り成分を添加させることができるので、使用者に対して質のよい仮眠または睡眠をさせることができる。
【０１０４】
また、本実施の形態３に係る仮眠システム１００を構成する送風装置２０によれば、入眠段階と起床段階とで導入する香り成分を異ならせることで、入眠段階と起床段階のそれぞれに適した香り成分（香りＹ、香りＺ）を添加することができるので、入眠段階での入眠までの時間を短くすることができるとともに、起床段階での起床ストレスを軽減することができる。
【０１０５】
また、本実施の形態３に係る仮眠システム１００を構成する送風装置２０によれば、第１ゆらぎを有する気流への香り成分の導入の際に、導入組み合わせＣのように、複数の香り成分（香りＹ１、香りＹ２、香りＹ３）を切り替えることで、入眠段階において使用者を睡眠状態に誘導しやすくすることができる。一方、第２ゆらぎを有する気流への香り成分の導入の際に、導入組み合わせＣのように、複数の香り成分（香りＺ１、香りＺ２、香りＺ３）を切り替えることで、起床段階において使用者が覚醒状態となるのを促進しやすくすることができる。
【０１０６】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値は一例であり、他の数値を採用することは当然可能である。
【産業上の利用可能性】
【０１０７】
本発明に係る送風装置は、仮眠システムまたは本睡眠用システムの送風装置として有用である。
【符号の説明】
【０１０８】
１    送風装置
１ａ    送風装置
２    入眠用照明装置
３    起床用照明装置
４    音響装置
５    仮眠シート
５ａ    座部
５ｂ    背もたれ部
６    タブレット
７    コントローラー
１０    ファン
１１    モーター
１２    マイクロコンピュータ
１３    ケーシング
１４    吸込口
１５    ダクト
１６    吹出部材
１７    チャンバー空間
１８    吹出口
１９    香り発生器
１９ａ    香り発生器
１９ｂ    香り発生器
１９ｃ    香り発生器
２０    送風装置
２１    ベッド
２２    容器
２３    気化部
２４    流入開口部
２５    流出開口部
２６    開口弁
１００    仮眠システム
２００    睡眠システム
Ｂ    寝室
Ｒ    仮眠室
【図１】
2020056563.tif 000003
【図２】
2020056563.tif 000004
【図３】
2020056563.tif 000005
【図４】
2020056563.tif 000006
【図５】
2020056563.tif 000007
【図６】
2020056563.tif 000008
【図７】
2020056563.tif 000009
【図８】
2020056563.tif 000010
【図９】
2020056563.tif 000011